(57)【特許請求の範囲】
【請求項１】
予め呼び出された試験条件ファイルに基づいて試験条件を特定する試験機であって、
前記試験条件ファイルに基づいて所定形式の試験条件設定画面を表示器に表示させるための第１ボタンと、
所定の表示形式を有する試験開始前設定画面を前記表示器に表示させるための第２ボタンと、
所定試験条件ファイルの記憶および呼び出しを行う試験条件ファイル操作画面を前記表示器に表示させるための第３ボタンと、
前記第１ボタンと前記第２ボタンと前記第３ボタンの全てを前記表示器に常時表示させておくボタン表示制御手段と、
前記第１ボタンの押下に応答して前記試験条件設定画面が表示されているとき、前記試験条件設定画面に表示されている複数の設定項目のうちから、変更すべき設定項目を選択するための設定変更選択ボタンを表示させる設定変更ボタン表示制御手段と、
前記第２ボタンが押下されたとき、前記設定変更選択ボタンにより選択された設定項目のみに対応した試験条件入力欄を、前記試験開始前設定画面中に変更可能試験条件表示欄として表示させる試験開始前表示制御手段と、
前記試験開始前設定画面において設定された試験条件に基づいて試験を開始する開始手段とを備えること特徴とする試験機。
【請求項２】
請求項１に記載の試験機において、
前記第３ボタンの押下に応答して表示される前記ファイル操作画面は、ファイル番号を入力するボタンと、入力したファイル番号のファイルに試験条件を保存するボタンと、入力したファイル番号の試験条件ファイルを呼び出すボタンとを含んでいることを特徴とする試験機。
【発明の詳細な説明】
【技術分野】
【０００１】
本発明は、予め登録されている試験条件ファイルを呼び出し、その試験条件により試験を行う試験機に関する。
【背景技術】
【０００２】
従来から、たとえば特開２００５−３５８０号公報に記載されている材料試験機のように、予め登録されている試験条件ファイルを呼び出し、その試験条件により試験を行う材料試験機が知られている（特許文献１）。
【特許文献１】特開２００５−３５８０号公報
【発明の開示】
【発明が解決しようとする課題】
【０００３】
たとえば、材質が同じで試験片サイズのみが異なる試験片について繰り返し試験を行うことがある。この種の試験において、試験途中で試験条件の一部を変更する場合、試験条件ファイルを呼び出し、ファイル上で条件変更の入力を行い、新たなファイル名を付与して登録する。その上で、そのファイルを呼び出して試験を再開する。したがって、一部の試験条件を変更して試験を繰り返し行う場合でも、煩雑な操作が必要であった。
【課題を解決するための手段】
【０００４】
（１）請求項１の発明の試験機は、予め呼び出された試験条件ファイルに基づいて試験条件を特定する試験機であって、前記試験条件ファイルに基づいて所定形式の試験条件設定画面を表示器に表示させるための第１ボタンと、所定の表示形式を有する試験開始前設定画面を前記表示器に表示させるための第２ボタンと、所定試験条件ファイルの記憶および呼び出しを行う試験条件ファイル操作画面を前記表示器に表示させるための第３ボタンと、前記第１ボタンと前記第２ボタンと前記第３ボタンの全てを前記表示器に常時表示させておくボタン表示制御手段と、前記第１ボタンの押下に応答して前記試験条件設定画面が表示されているとき、前記試験条件設定画面に表示されている複数の設定項目のうちから、変更すべき設定項目を選択するための設定変更選択ボタンを表示させる設定変更ボタン表示制御手段と、前記第２ボタンが押下されたとき、前記設定変更選択ボタンにより選択された設定項目のみに対応した試験条件入力欄を、前記試験開始前設定画面中に変更可能試験条件表示欄として表示させる試験開始前表示制御手段と、前記試験開始前設定画面において設定された試験条件に基づいて試験を開始する開始手段とを備えること特徴とする。
（２）請求項２の発明は、請求項１に記載の試験機において、前記第３ボタンの押下に応答して表示される前記ファイル操作画面は、ファイル番号を入力するボタンと、入力したファイル番号のファイルに試験条件を保存するボタンと、入力したファイル番号の試験条件ファイルを呼び出すボタンとを含んでいることを特徴とする。
【発明の効果】
【０００５】
本発明によれば、試験条件を変更して試験を続ける場合、ファイルをわざわざ呼び出すことなく、モニタ上で条件を変更して試験を続行できる。
【発明を実施するための最良の形態】
【０００６】
図１〜図６に基づいて本発明の一実施の形態について説明する。
図１に示す材料試験機は、材料試験機本体１０と、本体１０を駆動制御する制御系２０とで構成される。材料試験機本体１０は、ベッド１１と、このベッド１１上に設置され、供試体ＳＰを負荷するラムシリンダ装置１２と、このラムシリンダ装置１２の側方でベッド１１に立設する一対のねじ支柱１３と、このねじ支柱１３に昇降可能に保持されるクロスヘッド１４と、ラムシリンダ装置１２で昇降するテーブル１５と、このテーブル１５上に立設される一対の支柱１６と、支柱１６に横架される上部クロスヘッド１７とを備える。供試体ＳＰに負荷される試験力はロードセル１８で検出され、供試体のストロークはストローク計１９で検出される。また、ラムシリンダ装置１２はバルブ１２ａの開閉動作で駆動制御される。
【０００７】
試験機本体１０を制御する制御系２０は、制御回路２１、入出力装置２２、増幅器２３，２５，２７、Ａ／Ｄ変換器２４，２８、Ｄ／Ａ変換器２６などを備えている。
【０００８】
制御回路２１は、マイクロコンピュータとその周辺部品から構成される。制御回路２１には、条件設定メモリ２１ａが内蔵されており、後述のデータ記憶装置２９から呼び出した試験条件のデータを記憶する。制御回路２１は、ロードセル１８からの荷重信号と、ストローク計１９からの変位信号とに基づいて、条件設定メモリ２１に記憶されている試験条件で試験が行えるようにラムシリンダ装置１２を駆動するための制御信号を生成し、バルブ１２ａへ出力する。
【０００９】
入出力装置２２は、試験条件などを入力するタッチパネル２２ａやスイッチ２２ｂと、供試体ＳＰの荷重−変位特性など試験結果を出力する表示モニタ２２ｃとを備えている。
【００１０】
データ記憶装置２９は、ハードディスクなど書き換え可能な不揮発性記録媒体によって構成され、試験条件データベースが記憶される。試験条件データベースには試験条件ファイルが登録されている。試験条件ファイルには、複数の試験条件が定義されている。試験条件は、たとえば、サイクル試験で行うかシングル試験で行うかといった試験モード、引っ張り試験を行うか圧縮試験を行うかといった試験種類、試験速度、供試体の形状などが含まれる。ユーザは、試験条件データベースに登録されている試験条件ファイルを呼び出すだけで、試験の都度、試験条件を設定操作することなく所望の試験を開始することができる。
【００１１】
このような材料試験機による圧縮試験は次の手順で行われる。
まず、以下で詳細に説明するように試験条件（試験機運転条件）を設定する。クロスヘッド１４の高さ位置を調整して、テーブル１５とクロスヘッド１４との間に供試体ＳＰを設置する。試験開始指示により、ラムシリンダ装置１２を駆動してテーブル１５を上昇させて圧縮試験を行う。なお、クロスヘッド１４と上部クロスヘッド１７との間に供試体を設置してテーブル１５を上昇させれば、引張試験を行うことができる。
【００１２】
次に本発明の実施形態における一部の試験条件を変更して試験を行う場合について、図２〜５を参照して説明する。ユーザは、試験条件ファイルを呼び出してから試験を開始するため、予め試験条件を試験条件ファイルに定義して登録する必要がある。
【００１３】
図２は、試験条件を設定するための試験条件設定画面３０を説明するための図である。試験条件設定画面３０は表示モニタ２２ｃに表示される。試験条件設定画面３０には、試験条件欄３１ａ〜３１ｇ、設定変更ボタン３２ａ〜３２ｄ、試験ボタン３３、条件ボタン３４およびファイルボタン３５が表示される。
【００１４】
試験条件欄３１ａ〜３１ｇは、試験条件を入力する欄である。入出力装置２２を操作して数値などを入力する。本発明の実施形態では、試験力の最大点を１０ｋNに、試験速度を１０ mm/min のストローク速度に、試験サイズを直径１０ mm の丸棒に、試験力レンジを１００ｋNにした試験条件が入力されている。入出力装置２２を操作して、最大点を試験力からストロークの変位量に、試験速度をストローク速度から荷重速度などに変更することができる。
【００１５】
設定変更ボタン３２ａ〜３２ｄは、試験条件ファイルを更新せずに変更できる試験条件を選択するためのボタンである。設定変更ボタン３２ａ〜３２ｄで選択された試験条件については、後述する図４の表示画面から試験条件を変更して試験を開始できる。
【００１６】
試験ボタン３３は、試験を開始するときの表示画面に切り替えるためのボタンである。条件ボタン３４は、試験条件設定画面３０に表示画面を切り替えるためのボタンである。ファイルボタン３５は、試験条件ファイルを呼び出したり、定義した試験条件を試験条件ファイルとして保存したりするときの表示画面に切り替えるためのボタンである。試験ボタン３３、条件ボタン３４およびファイルボタン３５は表示画面に常に表示されている。
【００１７】
ユーザは、図２の試験条件設定画面３０を表示させ、スイッチ２２ｂを操作して試験条件欄３１ａ〜３１ｇに試験条件を入力する。また、ファイル更新せずに設定変更を可能とする試験条件に対応する設定変更ボタン３２ａ〜３２ｄを押圧する。図２の例では、ユーザは、最大点の設定変更ボタン３２ａと試験片サイズの設定変更ボタン３２ｃとが押圧されている。設定変更ボタン３２ａ，３２ｃを押圧した後、設定した試験条件を試験条件ファイルとして試験条件データベースに格納するため、ファイルボタン３５を押圧する。
【００１８】
ファイルボタン３５を押圧すると、表示モニタ２２ｃに図３に示すファイル操作画面４０が表示される。ファイル操作画面４０には、荷重表示欄４１ａ、変位表示欄４１ｂ、ファイル番号選択ボタン４２、保存ボタン４３ａ、呼び出しボタン４３ｂ、消去ボタン４３ｃ、試験ボタン３３、条件ボタン３４およびファイルボタン３５が表示される。
【００１９】
荷重表示欄４１ａは、供試体ＳＰに負荷されている荷重を表示する表示欄であり、変位表示欄４１ｂは、供試体ＳＰの変位を表示する表示欄である。
【００２０】
ファイル番号選択ボタン４２は、ファイル番号を選択するためのボタンである。ユーザは、所望のファイル番号のファイル番号選択ボタン４２を押圧することによって、試験条件を保存したり呼び出したりするファイルを選択することができる。
【００２１】
保存ボタン４３ａは、選択したファイル番号のファイルに試験条件を保存するためのボタンである。試験条件はデータ記憶装置２９に保存される。呼び出しボタン４３ｂは、選択したファイル番号のファイルから試験条件ファイルを呼び出すためのボタンである。呼び出した試験条件ファイルは条件設定メモリ２１ａに記憶される。消去ボタン４３ｃは、選択したファイル番号のファイルに保存されている試験条件を消去するためのボタンである。
【００２２】
図３〜５を参照して、ファイル番号９に保存した図２に示す試験条件の一部を変更して試験を開始する場合を一例として説明する。ユーザは、ファイル番号選択ボタン４２によりファイル番号９を選択した後、呼び出しボタン４３ｂと試験ボタン３３を順に押圧する。呼び出しボタン４３ｂの押圧により、ファイル番号９の試験条件が、条件設定メモリ２１ａに試験機運転条件として設定される。
【００２３】
試験ボタン３３を押圧すると、図４に示すように試験開始画面５０が表示モニタ２２ｃに表示される。試験開始画面５０には、荷重表示欄４１ａ、変位表示欄４１ｂ、変更可能試験条件表示欄５１、試験開始ボタン５２ａ、試験終了ボタン５２ｂ、試験ボタン３３、条件ボタン３４およびファイルボタン３５が表示される。
【００２４】
変更可能試験条件表示欄５１には、図２の試験条件設定画面上で押圧された変更設定ボタン３２ａ，３２ｃに対応する条件項目、つまり最大点と試験片サイズとの試験条件欄３１ａ，３１ｂ，３１ｅ，３１ｆが表示される。ユーザは、変更可能試験条件表示欄５１に表示された試験条件欄３１ａ，３１ｂ，３１ｅ，３１ｆの試験条件を変更することができる。試験条件欄３１ａ，３１ｂ，３１ｅ，３１ｆの試験条件を変更すると、上述した条件設定メモリ内の該当する試験機運転条件が更新される。
【００２５】
試験開始ボタン５２ａは、試験を開始するためのボタンである。試験開始ボタン５２ａを押圧すると、上述した条件設定メモリの試験機運転条件にて試験が開始される。すなわち、図２の試験条件設定画面上で押圧された変更設定ボタンに対応する試験機運転条件については、変更可能試験条件表示欄５１の試験条件欄３１ａ，３１ｂ，３１ｅ，３１ｆに入力されている試験機運転条件にて、図２の試験条件設定画面上で変更設定ボタンが押圧されなかった試験機運転条件については、呼び出した試験条件ファイルに格納されている試験条件にて試験を開始する。試験終了ボタン５２ｂは、試験を終了するためのボタンである。
【００２６】
また、試験開始ボタン５２ａを押圧して試験を開始すると、図５に示す試験表示画面６０が表示モニタ２２ｃに表示される。試験表示画面６０には、荷重表示欄４１ａ、変位表示欄４１ｂ、荷重−変位曲線表示欄６１、試験停止ボタン６２、試験ボタン３３、条件ボタン３４およびファイルボタン３５が表示される。
【００２７】
荷重−変位曲線表示欄６１は、現在計測中の供試体ＳＰの荷重−変位曲線をリアルタイムで表示する表示欄である。試験停止ボタン６２は、試験を途中で停止するボタンである。
【００２８】
このようにして、ファイル番号９に保存した試験条件の一部を変更して実行した試験結果が表示モニタ２２ｃに表示される。
【００２９】
次に、本発明の実施形態における試験機の試験開始処理について、図６のフローチャートを参照して説明する。図６の処理は制御回路２１において実行される。ここで、試験条件ファイルを呼び出して、試験条件を条件設定メモリ２１ａに保存する処理、つまり試験運転条件として設定する処理は終了しているものとする。
【００３０】
ステップＳ６０１では、試験ボタン３３が押圧されたか判定する。押圧された場合はステップＳ６０１が肯定判定され、ステップＳ６０２へ進む。押圧されない場合はステップＳ６０１を繰り返す。ステップＳ６０２では、図４に示す試験開始画面５０を表示モニタ２２ｃに表示する。
【００３１】
ステップＳ６０３において、試験条件欄３１ａ，３１ｂ，３１ｅ，３１ｆの試験条件が変更されたか判定する。変更された場合はステップＳ６０３が肯定判定され、ステップＳ６０４に進む。変更されていない場合はステップＳ６０３が否定判定され、ステップＳ６０５へ進む。ステップＳ６０４では、変更可能試験条件表示欄５１に入力されている試験条件を読み込み、条件設定メモリ２１ａに記憶されている試験機運転条件のうち該当する条件項目を更新する。
【００３２】
ステップＳ６０５では、試験開始ボタン５２ａが押圧されたか判定する。押圧された場合はステップＳ６０５が肯定判定され、ステップＳ６０６へ進む。押圧されない場合はステップＳ６０３へ戻る。ステップＳ６０６では、図５に示す試験表示画面６０を表示モニタ２２ｃに表示する。ステップＳ６０７では、ステップＳ６０４で更新された試験条件で試験を実行する。
【００３３】
以上の実施形態による試験機では次のような作用効果を奏する。
（１）試験条件ファイルから試験条件を呼び出し、その試験条件の一部を変更してそのまま試験を行うことができる。したがって、試験条件を設定し直して新たな試験条件ファイルを登録するといった煩雑な作業を行うことなく、試験条件ファイルの試験条件の一部を変更して試験を行うことができる。たとえば、同種材質の複数の試験片について、一部の条件を変えながら試験を行う場合、その操作が簡略化される。
【００３４】
（２）ユーザが予め選択して設定変更可能とした試験条件についてのみ表示モニタ２２ｃに表示するので、表示する試験条件が少なくなり、変更可能な試験条件の表示が見えやすくなる。一方、全ての試験条件について設定変更可能として図４の変更可能試験条件表示欄５１に表示する場合には、表示文字が小さくなるので非常に見づらくなる。
【００３５】
以上の実施形態の試験機を次のように変形することができる。
（１）試験条件ファイルを呼び出して、その試験条件ファイルの試験条件の一部を変更して試験を行う試験機であれば、本発明の実施形態の試験機に限定されない。たとえば、引っ張り試験機や曲げ試験機、疲労試験機などであってもよい。
【００３６】
（２）試験条件の変更を行うことができれば、試験条件の変更は表示モニタ２２ｃを介さずに行ってもよい。たとえば、表示モニタ２２ｃに表示せずにスイッチ２２ｂから入力できるようにしてもよい。
【００３７】
（３）全ての試験条件を条件設定メモリ２１ａに記憶してもよいし、試験開始時に変更可能な試験条件のみ条件設定メモリ２１ａに記憶してもよい。試験条件の一部を変更して試験を行うことができれば、条件設定メモリ２１ａに記憶する試験条件は実施形態に限定されない。
【図面の簡単な説明】
【００３８】
【図１】本発明の実施形態の試験機の構成を示すブロック図である。
【図２】試験条件設定画面を説明するための図である。
【図３】ファイル操作画面を説明するための図である。
【図４】試験開始画面を説明する図である。
【図５】試験表示画面を説明する図である。
【図６】試験開始処理を説明するためのフローチャートである。
【符号の説明】
【００３９】
２１  制御回路
２１ａ  条件設定メモリ
２２  入出力装置
２２ａ  タッチパネル
２２ｂ  スイッチ
２２ｃ  表示モニタ
３１ａ〜３１ｇ  試験条件欄
３３  試験ボタン
３４  条件ボタン
３５  ファイルボタン
４１ａ  荷重表示欄
４１ｂ  変位表示欄
５０  試験開始画面
５１  変更可能試験条件表示欄
５２ａ  試験開始ボタン
【図１】
0004710569.tif 000002
【図２】
0004710569.tif 000003
【図３】
0004710569.tif 000004
【図４】
0004710569.tif 000005
【図５】
0004710569.tif 000006
【図６】
0004710569.tif 000007